(57)【要約】【課題】適正に部品点数を削減することができるリモートコントローラを提供する。【解決手段】操作対象装置を遠隔から操作するリモートコントローラ１において、第１分割ケース２１と第２分割ケース２２とが形成する収容空間２３に回路基板３と共に音を発生する音源４を収容するコントローラケース２と、コントローラケース２の中央部２ａで第１分割ケース２１と第２分割ケース２２とを固定すると共に収容空間２３に収容された回路基板３をコントローラケース２に固定する固定部材１２と、コントローラケース２の中央部２ａより外側の外周部２ｂで第１分割ケース２１と第２分割ケース２２とを嵌め込み固定する嵌合部１８とを備えることを特徴とする。【選択図】図４
2010263167.tif 000002
【特許請求の範囲】
【請求項１】
操作対象装置を遠隔から操作するリモートコントローラにおいて、
第１分割ケースと第２分割ケースとが形成する収容空間に回路基板と共に音を発生する音源を収容するコントローラケースと、
前記コントローラケースの中央部で前記第１分割ケースと前記第２分割ケースとを固定すると共に前記収容空間に収容された前記回路基板を前記コントローラケースに固定する固定部材と、
前記コントローラケースの前記中央部より外側の外周部で前記第１分割ケースと前記第２分割ケースとを嵌め込み固定する嵌合部とを備えることを特徴とする、
リモートコントローラ。
【請求項２】
前記コントローラケースと前記回路基板との間に介在する防振材を備えることを特徴とする、
請求項１に記載のリモートコントローラ。
【請求項３】
前記嵌合部は、前記第１分割ケース又は前記第２分割ケースの一方の外周部から突出する突出部と、前記第１分割ケース又は前記第２分割ケースの他方の外周部に設けられ前記突出部が嵌合可能な陥没部とを含んで構成されることを特徴とする、
請求項１又は請求項２に記載のリモートコントローラ。
【請求項４】
前記コントローラケースは、樹脂成型品により構成され、前記陥没部が一方の端面に設けられる壁体の他方の端面に、当該壁体の肉厚方向に沿った幅が前記陥没部と同等に設定された凹部を有することを特徴とする、
請求項３に記載のリモートコントローラ。
【請求項５】
前記嵌合部は、前記第１分割ケース又は前記第２分割ケースの一方の外周部に設けられる爪部と、前記第１分割ケース又は前記第２分割ケースの他方の外周部に設けられ前記爪部が係合可能な爪部用係合部とを含んで構成されることを特徴とする、
請求項１乃至請求項４のいずれか１項に記載のリモートコントローラ。
【請求項６】
前記第１分割ケース又は前記第２分割ケースの一方は、前記回路基板と外周部よりも内側で当接して当該回路基板を当該回路基板の厚み方向に対して位置決めするボス部を有し、
前記第１分割ケース又は前記第２分割ケースの他方は、前記音源が設けられ、前記回路基板と外周部で当接して当該回路基板を前記厚み方向と交差する方向に対して位置決めするリブ部を有することを特徴とする、
請求項１乃至請求項５のいずれか１項に記載のリモートコントローラ。
【発明の詳細な説明】
【技術分野】
【０００１】
本発明は、リモートコントローラに関し、特に操作対象装置を遠隔から操作するリモートコントローラに関するものである。
【背景技術】
【０００２】
例えば、給湯機等などの種々の操作対象装置を遠隔から操作する従来のリモートコントローラとして、回路基板と共に、メッセージ、音声や効果音などの種々の音を発生させるためのスピーカやブザーなどの音源をケース内に内蔵したリモートコントローラが知られている。
【０００３】
このようなリモートコントローラなどが備える回路基板とケースとを組み付ける構成として、例えば、特許文献１に記載されている携帯情報端末には、液晶表示部と回路基板とを液晶表示部の一端側で固定するネジ（ビス）と、液晶表示部の他端側で液晶表示部と回路基板とケースとを共締めして固定するネジと、液晶表示部の一端側に延在させた回路基板と前記ケースとを共締めするネジとを有し、液晶表示部と回路基板とを固定した後ケースに固定する構成が開示されている。
【先行技術文献】
【特許文献】
【０００４】
【特許文献１】特開２００４−０３８５９１号公報
【発明の概要】
【発明が解決しようとする課題】
【０００５】
ところで、上述した従来のリモートコントローラには、内蔵される回路基板を直接ケースに固定したり、２分割された前ケースと後ケースとを接合するためのネジにより回路基板をこのケースに同時に固定したりするものがある。いずれの場合も、多数のネジを使用してケースや回路基板を固定しており、これらのネジは、例えば、意匠性などに配慮して、上述した特許文献１に記載されているようにケースの外周部側に沿って多く配置される場合がある。ここで、このような従来のリモートコントローラでは、例えば、組み立て工数の削減や製造コストの低減のためリモートコントローラを構成する部品点数を削減することが望まれている。そして、このようなリモートコントローラにおいて、例えば、固定に用いられるネジの数を低減すべく、ケースの中央部側にネジを設けた上でケースの外周部側に沿って多数配置されるネジの数を低減した場合、例えば、ネジを減らしたがためにケースの剛性が低下し、これにより、スピーカやブザーなどの音源からの振動に起因していわゆるビビリ音やハウリングが発生するおそれがあった。このため、従来のリモートコントローラでは、例えば、このようなビビリ音の発生やハウリングの発生等を抑制しながら、適正に部品点数の削減が実現されることが望まれていた。
【０００６】
本発明は、上記に鑑みてなされたものであって、適正に部品点数を削減することができるリモートコントローラを提供することを目的とする。
【課題を解決するための手段】
【０００７】
上述した課題を解決し、目的を達成するために、本発明は、操作対象装置を遠隔から操作するリモートコントローラにおいて、第１分割ケースと第２分割ケースとが形成する収容空間に回路基板と共に音を発生する音源を収容するコントローラケースと、前記コントローラケースの中央部で前記第１分割ケースと前記第２分割ケースとを固定すると共に前記収容空間に収容された前記回路基板を前記コントローラケースに固定する固定部材と、前記コントローラケースの前記中央部より外側の外周部で前記第１分割ケースと前記第２分割ケースとを嵌め込み固定する嵌合部とを備えることを特徴とする。
【発明の効果】
【０００８】
この発明によれば、固定部材がコントローラケースの中央部で第１分割ケースと第２分割ケースとを固定すると共に回路基板をコントローラケースに固定し、嵌合部がコントローラケースの外周部で第１分割ケースと第２分割ケースとを嵌め込み固定することから、相対的に少ない数の固定部材でコントローラケース、回路基板を固定した上でコントローラケースの剛性を増すことができるので、適正に部品点数を削減することができる。
【図面の簡単な説明】
【０００９】
【図１】図１は、本実施の形態に係るリモートコントローラの操作面側から見た斜視図である。
【図２】図２は、本実施の形態に係るリモートコントローラの分解斜視図である。
【図３】図３は、本実施の形態に係るリモートコントローラの取付面側から見た斜視図である。
【図４】図４は、本実施の形態に係るリモートコントローラの図１に示すｙ−ｚ平面における断面図である。
【図５】図５は、本実施の形態に係るリモートコントローラの図４に示す囲み線Ａの部分の部分断面図である。
【図６】図６は、本実施の形態に係るリモートコントローラの爪部を含む部分断面図である。
【発明を実施するための形態】
【００１０】
以下に、本発明に係るリモートコントローラの実施の形態を図面に基づいて詳細に説明する。なお、この実施の形態によりこの発明が限定されるものではない。また、下記実施の形態における構成要素には、当業者が置換可能かつ容易なもの、或いは実質的に同一のものが含まれる。
【００１１】
実施の形態．
図１は、本実施の形態に係るリモートコントローラの操作面側から見た斜視図、図２は、本実施の形態に係るリモートコントローラの分解斜視図、図３は、本実施の形態に係るリモートコントローラの取付面側から見た斜視図、図４は、本実施の形態に係るリモートコントローラの図１に示すｙ−ｚ平面における断面図、図５は、本実施の形態に係るリモートコントローラの図４に示す囲み線Ａの部分の部分断面図、図６は、本実施の形態に係るリモートコントローラの爪部を含む部分断面図である。なお、各図のｘ軸、ｙ軸、ｚ軸はそれぞれ互いに直交すように図示されている。以下、特に断りの無い限り、リモートコントローラ１の幅方向はｘ軸に沿った方向、リモートコントローラ１の厚み方向はｙ軸に沿った方向、リモートコントローラ１の高さ方向はｚ軸に沿った方向として説明する。
【００１２】
本実施の形態のリモートコントローラ１は、図１に示すように、種々の操作対象装置を遠隔から操作（遠隔操作）するものである。ここでは、リモートコントローラ１は、操作対象装置として、例えば、給湯機本体（不図示）を遠隔から操作するものであり、例えば、台所や居間や浴室の壁面などに設けられ、操作対象装置である給湯機本体の設定温度の変更や設定湯量の変更などの操作を行うことができる。そして、本実施の形態のリモートコントローラ１は、例えば、図２、図４に示すように、コントローラケース２内に回路基板３と共に音源としてのスピーカ４を内蔵したものである。
【００１３】
具体的には、リモートコントローラ１は、図１乃至図４に示すように、コントローラケース２と、回路基板３と、スピーカ４と、マイク５と、表示部６と、ボタン群７とを備える。
【００１４】
コントローラケース２は、全体として中空の直方体の箱状に形成され、この中空部分に少なくとも回路基板３やスピーカ４を含むリモートコントローラ１の種々の構成部品を収容し内蔵するものである。本実施の形態のコントローラケース２は、リモートコントローラ１の厚み方向（ｙ軸に沿った方向）に対して前後に２分割されている。すなわち、コントローラケース２は、第１分割ケースとしての操作側ケース２１と第２分割ケースとしての取付側ケース２２とを含んで構成される。つまり、コントローラケース２は、この操作側ケース２１と取付側ケース２２とからなる。コントローラケース２は、操作側ケース２１と取付側ケース２２とにより内部に収容空間２３が形成される。
【００１５】
操作側ケース２１は、利用者の操作を受け付ける面として操作面９が設けられるものである。操作側ケース２１は、１つの面が開口した直方体の箱状に形成される。操作側ケース２１は、この開口した面と対向する面が操作面９をなす。操作面９は、後述する表示部６やボタン群７などが設けられる。
【００１６】
取付側ケース２２は、例えば台所や居間や浴室などの取付壁面１Ａにリモートコントローラ１を取り付けるための面として取付面１０が設けられるものである。取付側ケース２２は、１つの面が開口した直方体の箱状に形成される。取付側ケース２２は、この開口した面と対向する面が取付面１０をなす。この取付面１０は、後述する壁面取付用ネジ孔１１が設けられる。
【００１７】
そして、コントローラケース２は、操作側ケース２１の開口と取付側ケース２２の開口とが互いに対向した状態で、後述するように固定部材としてのケース固定用ネジ１２により接合され相対的な位置関係が固定されることで、内部に中空部が形成され、この中空部が収容空間２３として機能する。コントローラケース２は、この収容空間２３に少なくとも回路基板３やスピーカ４を含むリモートコントローラ１の種々の構成部品を収容し内蔵する。
【００１８】
なお、本実施の形態のコントローラケース２の外形寸法は、リモートコントローラ１の厚み方向の長さ（ｙ軸方向に沿った厚み）がリモートコントローラ１の高さ方向の長さ（ｚ軸方向に沿った高さ）やリモートコントローラ１の幅方向の長さ（ｘ軸方向に沿った幅）と比較して相対的に短くなるように設定されている。
【００１９】
回路基板３は、スピーカ４、マイク５、スイッチ３１や液晶表示部３２などのリモートコントローラ１の各部を駆動させるための駆動回路などの種々の回路が実装された基板である。回路基板３は、ほぼ矩形の板状に形成される。回路基板３は、後述するように固定部材としてのケース固定用ネジ１２によりコントローラケース２をなす操作側ケース２１と取付側ケース２２との間に共締めされて相対的な位置関係が固定され、コントローラケース２内の収容空間２３に収容され内蔵される。回路基板３は、この回路基板３の厚み方向がリモートコントローラ１の厚み方向、すなわち、ｙ軸方向とほぼ一致するように収容空間２３に配置されている。
【００２０】
回路基板３は、接続端子１３が設けられている。この接続端子１３は、取付側ケース２２の取付面１０を貫通して設けられた端子露出開口１４を介してコントローラケース２の外部に露出している。そして、回路基板３は、この接続端子１３に信号線１５が接続される。この信号線１５は、取付壁面１Ａに設けられた壁面貫通孔１Ｂなどを介して給湯機本体（不図示）と回路基板３とを電気的に接続するためのものである。したがって、回路基板３は、接続端子１３を介して給湯機本体と電気的に接続され、これにより、リモートコントローラ１は、給湯機本体（不図示）の遠隔制御が可能となる。
【００２１】
スピーカ４は、音源であり、例えば、ガイダンスやインターホン（双方向通話）などのメッセージ、音声や効果音などの種々の音を発生させるものである。スピーカ４は、回路基板３と共にコントローラケース２内の収容空間２３に収容され内蔵される。ここでは、スピーカ４は、コントローラケース２内の収容空間２３において、回路基板３より操作側ケース２１側に配置され、この操作側ケース２１に取り付けられている。そして、スピーカ４は、リモートコントローラ１の厚み方向（ｙ軸方向）に対して、操作側ケース２１の操作面９を貫通して設けられたスピーカ孔群４ａの背面側、すなわち、スピーカ孔群４ａの収容空間２３側に配置される。なお、本実施の形態のリモートコントローラ１は、音源として、例えば、種々の効果音を発生させるブザーなどを備えてもよい。
【００２２】
マイク５は、例えば、インターホン（双方向通話）を行うために声などの音を集音するためのものである。マイク５は、回路基板３と共にコントローラケース２内の収容空間２３に収容され内蔵される。ここでは、マイク５は、コントローラケース２内の収容空間２３において、回路基板３より操作側ケース２１側に配置され、この操作側ケース２１に取り付けられている。そして、マイク５は、リモートコントローラ１の厚み方向（ｙ軸方向）に対して、操作側ケース２１の操作面９を貫通して設けられたマイク孔５ａの背面側、すなわち、マイク孔５ａの収容空間２３側に配置される。
【００２３】
表示部６は、操作側ケース２１の操作面９に設けられる。表示部６は、透明な部材により形成される。上述した液晶表示部３２は、リモートコントローラ１の厚み方向（ｙ軸方向）に対して、この表示部６の背面側、すなわち、表示部６の収容空間２３側に配置される。例えば、利用者は、この透明な部材で形成され表示部６を介して液晶表示部３２に表示される各種情報を視認することができる。
【００２４】
ボタン群７は、操作側ケース２１の操作面９に設けられる。ボタン群７は、例えば、湯温の設定や湯張りの開始やインターホンを行うための種々のボタンを含んで構成される。上述したスイッチ３１は、リモートコントローラ１の厚み方向（ｙ軸方向）に対して、このボタン群７の背面側、すなわち、ボタン群７の収容空間２３側に配置される。
【００２５】
操作面９は、上述したように、操作側ケース２１において利用者の操作を受け付ける面であり、スピーカ孔群４ａ、マイク孔５ａ、表示部６、ボタン群７などが設けられる。
【００２６】
取付面１０は、上述したように、取付側ケース２２において取付壁面１Ａにリモートコントローラ１を取り付けるための面であり、壁面取付用ネジ孔１１、端子露出開口１４などが設けられる。
【００２７】
壁面取付用ネジ孔１１は、リモートコントローラ１を取付壁面１Ａに取り付けるためにケース取付用ネジ１６を通す貫通孔である。また、操作側ケース２１は、操作面９に壁面取付用ネジ孔１１と同様の壁面取付用ネジ孔１７が設けられている。壁面取付用ネジ孔１１と壁面取付用ネジ孔１７とは、リモートコントローラ１の厚み方向（ｙ軸方向）に対向する。壁面取付用ネジ孔１１と壁面取付用ネジ孔１７とは、ともにケース取付用ネジ１６が挿入され螺合するための孔であり、内周面にネジ溝が形成されている。
【００２８】
ケース取付用ネジ１６は、コントローラケース２の操作側ケース２１と取付側ケース２２とが後述するケース固定用ネジ１２により接合された状態で、操作側ケース２１の操作面９側から壁面取付用ネジ孔１７、壁面取付用ネジ孔１１に挿入される。そして、ケース取付用ネジ１６は、取付壁面１Ａに設けられた壁面取付用ネジ穴１Ｃと螺合することで、リモートコントローラ１のコントローラケース２と取付壁面１Ａとを締結し、リモートコントローラ１と取付壁面１Ａとの相対的な位置関係を固定する。
【００２９】
上記のように構成されるリモートコントローラ１は、利用者が操作面９に配置されたボタン群７を必要に応じて押すことにより、給湯機本体（不図示）を遠隔から操作し、例えば、設定温度の変更や設定湯量の変更などの種々の操作を行うことができる。また、リモートコントローラ１は、利用者が操作面９に配置された表示部６を介して液晶表示部３２に表示される給湯機本体の動作状況、設定状況などの各種情報を視認することができる。さらに、リモートコントローラ１は、操作面９に配置されたスピーカ孔群４ａを介してスピーカ４によりガイダンスやインターホンなどのメッセージ、音声や効果音などの種々の音を発生させることができ、操作面９に配置されたマイク孔５ａを介してマイク５により利用者の声などの種々の音を集音することができる。
【００３０】
ところで、このリモートコントローラ１は、上述したように固定部材としてのケース固定用ネジ１２が操作側ケース２１と取付側ケース２２とを接合し相対的な位置関係を固定すると共に、これと同時に、操作側ケース２１と取付側ケース２２との間に回路基板３も共締して、コントローラケース２と回路基板３との相対的な位置関係を固定している。つまり、このリモートコントローラ１は、２分割された操作側ケース２１と取付側ケース２２と接合するためのケース固定用ネジ１２により回路基板３をコントローラケース２内の収容空間２３に同時に固定している。
【００３１】
そして、本実施の形態のリモートコントローラ１は、図１乃至図４に示すように、固定部材としてのケース固定用ネジ１２がコントローラケース２の中央部２ａで操作側ケース２１と取付側ケース２２とを固定すると共に回路基板３をコントローラケース２に固定し、嵌合部１８がコントローラケース２の外周部２ｂで操作側ケース２１と取付側ケース２２とを嵌め込み固定することで、相対的に少ない数のケース固定用ネジ１２でコントローラケース２、回路基板３を固定した上でコントローラケース２の外周部２ｂの剛性を増加し、これにより、適正に部品点数を削減している。
【００３２】
ここで、コントローラケース２の中央部２ａは、リモートコントローラ１の厚み方向（ｙ軸方向）と直交する平面（ｘ−ｚ平面）において、コントローラケース２の操作側ケース２１と取付側ケース２２とが当接する縁部である外周部２ｂより内側に位置する部分である。つまり、このコントローラケース２は、リモートコントローラ１の厚み方向と直交する平面において、相対的に内側に位置する中央部２ａにケース固定用ネジ１２が設けられ、相対的に外側に位置する外周部２ｂに嵌合部１８が設けられる。
【００３３】
具体的には、ケース固定用ネジ１２は、コントローラケース２の中央部２ａで操作側ケース２１と取付側ケース２２とを固定すると共に収容空間２３に収容された回路基板３をコントローラケース２に固定する。つまり、ケース固定用ネジ１２は、コントローラケース２の略中央の中央部２ａで、操作側ケース２１と取付側ケース２２とを固定すると共に回路基板３も同時に固定する。さらに言えば、ケース固定用ネジ１２は、操作側ケース２１と取付側ケース２２との間に回路基板３を挟んで組み付け、これら操作側ケース２１、取付側ケース２２、回路基板３を一体として固定する。
【００３４】
本実施の形態のリモートコントローラ１では、ケース固定用ネジ１２は、コントローラケース２の中央部２ａに１つのみが設けられている。
【００３５】
操作側ケース２１は、コントローラケース２の中央部２ａに応じた位置に固定用ネジ穴１２ａが設けられる。取付側ケース２２は、コントローラケース２の中央部２ａに応じた位置に固定用ネジ孔１２ｂが設けられる。また、回路基板３は、コントローラケース２の中央部２ａに応じた位置に貫通孔１２ｃが設けられる。固定用ネジ穴１２ａ、固定用ネジ孔１２ｂ及び貫通孔１２ｃは、リモートコントローラ１の厚み方向（ｙ軸方向）に対向する。固定用ネジ穴１２ａ、固定用ネジ孔１２ｂ及び貫通孔１２ｃは、ケース固定用ネジ１２が挿入されるものである。
【００３６】
ここで、固定用ネジ穴１２ａは、ケース固定用ネジ１２が螺合するための孔であり、内周面にネジ溝が形成されている。固定用ネジ孔１２ｂは、ケース固定用ネジ１２が貫通するための孔である。一方、貫通孔１２ｃは、その内周側に防振材１９が設けられる。
【００３７】
この防振材１９は、２分割された操作側ケース２１、取付側ケース２２と回路基板３との間に介在するものである。さらに言えば、防振材１９は、回路基板３の貫通孔１２ｃの内周面とケース固定用ネジ１２との間に介在すると共に、回路基板３と操作側ケース２１との間、及び、回路基板３と取付側ケース２２との間にも介在する。つまり、防振材１９は、回路基板３とコントローラケース２との間の固定部分に設けられる。
【００３８】
この防振材１９は、例えは、コントローラケース２の操作側ケース２１に取り付けられたスピーカ４から発せられる音声振動等の振動を回路基板３や取付側ケース２２に相互に伝え難くするためのゴム等の弾性材で形成されている。
【００３９】
防振材１９は、円筒状に形成され、その内周面側が固定用ネジ孔１２ｄをなす。固定用ネジ孔１２ｄは、ケース固定用ネジ１２が貫通するための孔である。防振材１９は、円筒状の外周面が回路基板３の貫通孔１２ｃの内周面と接するように、この貫通孔１２ｃ内に組みつけられる。
【００４０】
また、防振材１９は、円筒形状の一方の端部が円環板状をなす。防振材１９は、回路基板３が操作側ケース２１と取付側ケース２２との間に組み付けられた状態で、この円環板状の部分がリモートコントローラ１の厚み方向（ｙ軸方向）に対して、操作側ケース２１と回路基板３との間に介在するように設けられる。
【００４１】
同様に、防振材１９は、円筒形状の他方の端部が円環板状をなし、回路基板３が操作側ケース２１と取付側ケース２２との間に組み付けられた状態で、この円環板状の部分がリモートコントローラ１の厚み方向（ｙ軸方向）に対して、取付側ケース２２と回路基板３との間に介在するように設けられる。
【００４２】
そして、ケース固定用ネジ１２は、操作側ケース２１と取付側ケース２２との間に回路基板３を挟んで組み付け、これら操作側ケース２１、取付側ケース２２、回路基板３を一体として固定する場合、取付側ケース２２の取付面１０側から固定用ネジ孔１２ｂ、固定用ネジ孔１２ｄ、固定用ネジ穴１２ａに挿入される。そして、ケース固定用ネジ１２は、固定用ネジ穴１２ａと螺合することで、操作側ケース２１と取付側ケース２２とを接合し相対的な位置関係を固定すると共に、これと同時に、操作側ケース２１と取付側ケース２２との間に回路基板３も共締して、コントローラケース２と回路基板３との相対的な位置関係を固定する。
【００４３】
このとき、ケース固定用ネジ１２は、操作側ケース２１と回路基板３との間、取付側ケース２２と回路基板３との間に防振材１９を介在させて、これら操作側ケース２１、取付側ケース２２、回路基板３を一体として固定する。つまり、このリモートコントローラ１は、防振材１９を介在させて操作側ケース２１と取付側ケース２２とで回路基板３を挟み、ケース固定用ネジ１２でこれらが一体に固定される。
【００４４】
ここで、この回路基板３は、収容空間２３内において、ボス部２４と、リブ部２５とによって位置決めされている。ボス部２４とリブ部２５とは、ともに収容空間２３において回路基板３を位置決めするためのものである。
【００４５】
ボス部２４は、操作側ケース２１又は取付側ケース２２の一方、ここでは取付側ケース２２に設けられ回路基板３と当接することで回路基板３を位置決めする。ボス部２４は、取付側ケース２２の取付面１０とは反対側の面に、すなわち、収容空間２３側の面に複数設けられる。各ボス部２４は、取付側ケース２２の収容空間２３側の面からこの収容空間２３側に突起するようにして形成される。各ボス部２４は、回路基板３と中央部３３（コントローラケース２の中央部２ａに応じた位置）で当接してこの回路基板３をこの回路基板３の厚み方向、すなわち、リモートコントローラ１の厚み方向（ｙ軸方向）に対して位置決めする。
【００４６】
リブ部２５は、操作側ケース２１又は取付側ケース２２の他方、ここではスピーカ４などが取り付けられる操作側ケース２１に設けられ回路基板３と当接することで回路基板３を位置決めする。リブ部２５は、操作側ケース２１の操作面９とは反対側の面に、すなわち、収容空間２３側の面に設けられる。リブ部２５は、取付側ケース２２の収容空間２３側の面からこの収容空間２３側に突出するようにして形成される。リブ部２５は、回路基板３と外周部としての外周端部３４で当接してこの回路基板３をこの回路基板３の厚み方向と交差する方向に対して位置決めする。ここでは、リブ部２５は、回路基板３の厚み方向と直交する方向（ｘ軸方向、ｚ軸方向）に対して位置決めする。さらに言えば、リブ部２５は、回路基板３の厚み方向と直交する平面（ｘ−ｚ平面）内で回路基板３を位置決めする。
【００４７】
したがって、回路基板３は、ケース固定用ネジ１２により操作側ケース２１と取付側ケース２２との間に組み付けられた状態で、各ボス部２４が中央部３３に当接することで収容空間２３において厚み方向に対して位置決めされる。また、回路基板３は、ケース固定用ネジ１２により操作側ケース２１と取付側ケース２２との間に組み付けられた状態で、リブ部２５が外周端部３４に当接することで収容空間２３において回路基板３の厚み方向と直交する平面内に対して位置決めされる。
【００４８】
嵌合部１８は、コントローラケース２の中央部２ａより外側の外周部２ｂで操作側ケース２１と取付側ケース２２とを嵌め込み固定するものである。これにより、リモートコントローラ１は、このコントローラケース２の外周部２ｂの近傍にケース固定用ネジ１２を設けない構成とした上で、この嵌合部１８によりコントローラケース２の外周部２ｂの剛性を確保することができる。
【００４９】
具体的には、嵌合部１８の嵌め込み構造は、図２、図５に示すように、突出部２６と、陥没部２７とを含んで構成される。
【００５０】
突出部２６は、操作側ケース２１と取付側ケース２２とを外周部２ｂで嵌合させるためのものである。突出部２６は、操作側ケース２１又は取付側ケース２２の一方の外周部２ｂから他方の外周部２ｂに向けて突出する部分である。本実施の形態の突出部２６は、操作側ケース２１に設けられ、この操作側ケース２１の外周部２ｂから取付側ケース２２の外周部２ｂに向けて突出する凸部として形成される。突出部２６は、操作側ケース２１において、リモートコントローラ１の幅方向（ｘ軸方向）及び高さ方向（ｚ軸方向）に沿った４辺に形成されている。
【００５１】
陥没部２７は、操作側ケース２１と取付側ケース２２とを外周部２ｂで嵌合させるためのものである。陥没部２７は、操作側ケース２１又は取付側ケース２２の他方の外周部２ｂに設けられ突出部２６が嵌合可能な部分である。本実施の形態の突出部２６は、取付側ケース２２に設けられ、この取付側ケース２２の外周部２ｂにおいて、突出部２６の形状や寸法にあわせて陥没した凹部として形成される。陥没部２７は、この陥没部２７が形成される取付側ケース２２の壁体２２ａの肉厚方向に沿った幅ｔが突出部２６の肉厚方向に沿った幅ｔとほぼ同等に設定されている。陥没部２７は、取付側ケース２２において、リモートコントローラ１の幅方向（ｘ軸方向）及び高さ方向（ｚ軸方向）に沿った４辺に形成されている。
【００５２】
したがって、コントローラケース２をなす操作側ケース２１と取付側ケース２２とは、ケース固定用ネジ１２により回路基板３を挟んで組み付けられた状態で、突出部２６が陥没部２７に挿入され嵌合することで、嵌合部１８により外周部２ｂで操作側ケース２１と取付側ケース２２とを嵌め込み固定することができる。この結果、リモートコントローラ１は、この嵌合部１８によりコントローラケース２の外周部２ｂにおける操作側ケース２１と取付側ケース２２とのがたつきを防止し、コントローラケース２の外周部２ｂの剛性を確保することができる。
【００５３】
ここで、本実施の形態のコントローラケース２は、操作側ケース２１と取付側ケース２２とがともに樹脂成型品により構成される。そしてここでは、陥没部２７が形成される取付側ケース２２は、凹部としての肉盗み２２ｂが設けられている。肉盗み２２ｂは、陥没部２７が一方の端面に設けられる取付側ケース２２の壁体２２ａの他方の端面に形成される。つまり、肉盗み２２ｂは、壁体２２ａにおいて陥没部２７の背面側に設けられる。肉盗み２２ｂは、壁体２２ａの肉厚方向に沿った幅ｔが陥没部２７の肉厚方向に沿った幅ｔとほぼ同等に設定されている。
【００５４】
したがって、コントローラケース２は、陥没部２７が一方の端面に設けられる取付側ケース２２の壁体２２ａの他方の端面に肉盗み２２ｂが形成されることから、陥没部２７が設けられる取付側ケース２２の肉厚をほぼ均一化することができので、樹脂成型時にいわゆるヒケなどの成形不良が生じることを抑制することができる。また、肉盗み２２ｂは取付壁側に形成され、取付状態では壁面で隠れてしまうので、意匠を損なうこともない。
【００５５】
また、嵌合部１８の嵌め込み構造は、図２、図６に示すように、さらに、爪部２８と、爪部用係合部２９とを含んで構成される。
【００５６】
爪部２８は、コントローラケース２の外周部２ｂにおける嵌合部１８の剛性をさらに高めるものである。爪部２８は、操作側ケース２１又は取付側ケース２２の一方の外周部２ｂに設けられる。本実施の形態の爪部２８は、操作側ケース２１に設けられ、さらに言えば、突出部２６の先端部に設けられる。爪部２８は、突出部２６が陥没部２７に挿入され嵌合した状態で、突出部２６の先端部に後述する爪部用係合部２９が引っ掛かるように、段付の形状に形成される。爪部２８は、例えば、操作側ケース２１において、リモートコントローラ１の幅方向（ｘ軸方向）及び高さ方向（ｚ軸方向）に沿った４辺の各辺にそれぞれ１つから２つずつが形成されている。
【００５７】
爪部用係合部２９は、コントローラケース２の外周部２ｂにおける嵌合部１８の剛性をさらに高めるものである。爪部用係合部２９は、操作側ケース２１又は取付側ケース２２の他方の外周部２ｂに設けられる。本実施の形態の爪部用係合部２９は、取付側ケース２２に設けられ、さらに言えば、陥没部２７が形成された壁体２２ａに設けられる。爪部用係合部２９は、突出部２６が陥没部２７に挿入され嵌合した状態で、爪部２８が係合可能な受け部として形成される。爪部用係合部２９は、爪部２８に対応して、例えば、取付側ケース２２において、リモートコントローラ１の幅方向（ｘ軸方向）及び高さ方向（ｚ軸方向）に沿った４辺の各辺にそれぞれ１つから２つずつが形成されている。
【００５８】
したがって、コントローラケース２をなす操作側ケース２１と取付側ケース２２とは、ケース固定用ネジ１２により回路基板３を挟んで組み付けられ突出部２６が陥没部２７に挿入され嵌合した状態で、爪部２８が爪部用係合部２９に係合することで、コントローラケース２の外周部２ｂにおける嵌合部１８の剛性をさらに高めることができる。
【００５９】
上記のように構成されるリモートコントローラ１は、ケース固定用ネジ１２がコントローラケース２の中央部２ａで操作側ケース２１と取付側ケース２２とを固定すると共に回路基板３をコントローラケース２に固定することで、例えば、リモートコントローラ１の外周部２ｂに多数のケース固定用ネジを用いる場合と比較して、リモートコントローラ１を構成する部品点数を相対的に少なくすることができる。この結果、リモートコントローラ１は、部品点数を相対的に少なくすることができることから、例えば、組み立て工数を削減することができ、また、製造コストを低減することができる。
【００６０】
そして、このリモートコントローラ１は、嵌合部１８がコントローラケース２の外周部２ｂで操作側ケース２１と取付側ケース２２とを嵌め込み固定することで、外周部２ｂの近傍にはケース固定用ネジ１２を設けない構成とした上で、この嵌合部１８によりコントローラケース２の外周部２ｂの剛性を確保することができる。これにより、リモートコントローラ１は、嵌合部１８によりコントローラケース２の外周部２ｂの剛性を確保することができることから、スピーカ４などの音源からの振動に起因していわゆるビビリ音（構成部材同士が触れ合って発生する異音（ノイズ））やハウリングが発生することを抑制することができる。つまり、リモートコントローラ１は、スピーカ４による音声振動、ひいてはマイク５の近傍の空気振動をきたす事態を抑制し、ビビリ音や空気振動に伴うハウリングの発生を抑制することができる。
【００６１】
すなわち、このリモートコントローラ１は、相対的に少ない本数のケース固定用ネジ１２で剛性を確保することができ、スピーカ４から発せられる音声振動によるビビリ音やハウリングを抑制することができるため、ケース固定用ネジの本数を減らし、加工工程を簡略化でき、その上で、スピーカ４などの音源からの振動によるビビリ音の発生やハウリングの発生等を抑制することができ、この結果、適正に部品点数を削減することができる。
【００６２】
また、リモートコントローラ１は、防振材１９がコントローラケース２と回路基板３との間に介在することから、この防振材１９により操作側ケース２１に設けられたスピーカ４が発した音声振動を回路基板３や取付側ケース２２に伝え難くすることができる。
【００６３】
つまり、本実施の形態のリモートコントローラ１は、２分割された操作側ケース２１と取付側ケース２２とを接合するためのケース固定用ネジ１２が中央部２ａに配置され、ケース固定用ネジ１２でコントローラケース２内の内装部品である回路基板３も同時に固定し、ケース固定用ネジ１２で固定する回路基板３をゴム等の弾性材でできた防振材１９を介して、操作側ケース２１と取付側ケース２２とではさみ、操作側ケース２１と取付側ケース２２との外周部２ｂが嵌合部１８により嵌め込み構造となっていることにより、少ない本数のケース固定用ネジ１２で剛性が高くすることができ、スピーカ４などの音源から発せられる音声振動によるビビリ音の発生やハウリングの発生等を抑制することができる。
【００６４】
さらに、このリモートコントローラ１は、嵌合部１８をなす突出部２６が陥没部２７に挿入され嵌合した状態で、爪部２８が爪部用係合部２９に係合することで、この爪部２８と爪部用係合部２９との引っ掛け構造により、嵌合部１８における嵌合を強化することができ、突出部２６が陥没部２７から外れることを確実に抑制することができるので、コントローラケース２の外周部２ｂにおける嵌合部１８の剛性をさらに高めることができる。つまり、爪部２８と爪部用係合部２９との引っ掛け構造は、コントローラケース２の外周部２ｂの剛性を高めるための操作側ケース２１の突出部２６と取付側ケース２２の突出部２６からなる嵌合部１８において、この突出部２６と突出部２６との凹凸嵌合をさらにしっかりと密着させることができ、この嵌合部１８の剛性をさらに高めることができる。
【００６５】
また、このリモートコントローラ１は、ボス部２４が取付側ケース２２に設けられると共にリブ部２５が操作側ケース２１に設けられ、収容空間２３にてこのボス部２４とリブ部２５とによって回路基板３が位置決めされることから、スピーカ４などの音源が取り付けられることで相対的に振動しやすい操作側ケース２１と回路基板３との接触部分をスピーカ４などの音源が取り付けられていないことで相対的に振動しにくい取付側ケース２２と回路基板３との接触部分より相対的に小さくすることができる。この結果、リモートコントローラ１は、ボス部２４とリブ部２５とによって回路基板３を位置決めしつつ、相対的に振動しやすい操作側ケース２１と回路基板３との接触部分を極力少なくすることができ、例えば、操作側ケース２１側に複数のボス部２４を設ける場合と比較して、操作側ケース２１からリブ部２５を介して回路基板３に伝達される音声振動を抑制することができる。
【００６６】
以上で説明した実施の形態に係るリモートコントローラ１によれば、給湯機本体を遠隔から操作するリモートコントローラ１において、操作側ケース２１と取付側ケース２２とが形成する収容空間２３に回路基板３と共に音を発生するスピーカ４を収容するコントローラケース２と、コントローラケース２の中央部２ａで操作側ケース２１と取付側ケース２２とを固定すると共に収容空間２３に収容された回路基板３をコントローラケース２に固定するケース固定用ネジ１２と、コントローラケース２の中央部２ａより外側の外周部２ｂで操作側ケース２１と取付側ケース２２とを嵌め込み固定する嵌合部１８とを備える。
【００６７】
したがって、リモートコントローラ１は、ケース固定用ネジ１２がコントローラケース２の中央部２ａで操作側ケース２１と取付側ケース２２とを固定すると共に回路基板３をコントローラケース２に固定し、嵌合部１８がコントローラケース２の外周部２ｂで操作側ケース２１と取付側ケース２２とを嵌め込み固定することで、相対的に少ない数のケース固定用ネジ１２でコントローラケース２、回路基板３を固定した上でコントローラケース２の外周部２ｂの剛性を増加することができるので、例えば、ビビリ音の発生やハウリングの発生等を抑制しながら、適正に部品点数を削減することができる。
【００６８】
さらに、以上で説明した実施の形態に係るリモートコントローラ１によれば、コントローラケース２と回路基板３との間に介在する防振材１９を備える。したがって、リモートコントローラ１は、防振材１９がコントローラケース２と回路基板３との間に介在することから、この防振材１９によりスピーカ４が発した音声振動を操作側ケース２１、取付側ケース２２、回路基板３の間で伝え難くすることができるので、ビビリ音の発生やハウリングの発生等を確実に抑制することができる。
【００６９】
さらに、以上で説明した実施の形態に係るリモートコントローラ１によれば、嵌合部１８は、操作側ケース２１の外周部２ｂから突出する突出部２６と、取付側ケース２２の外周部２ｂに設けられ突出部２６が嵌合可能な陥没部２７とを含んで構成される。したがって、リモートコントローラ１は、突出部２６が陥没部２７に挿入され嵌合することで、嵌合部１８により外周部２ｂで操作側ケース２１と取付側ケース２２とを嵌め込み固定することができ、この結果、この嵌合部１８によりコントローラケース２の外周部２ｂの剛性を確保することができる。
【００７０】
さらに、以上で説明した実施の形態に係るリモートコントローラ１によれば、コントローラケース２は、樹脂成型品により構成され、陥没部２７が一方の端面に設けられる壁体２２ａの他方の端面に、この壁体２２ａの肉厚方向に沿った幅ｔが陥没部２７と同等に設定された肉盗み２２ｂを有する。したがって、リモートコントローラ１は、陥没部２７が設けられる壁体２２ａに肉盗み２２ｂが形成されることから、取付側ケース２２の肉厚をほぼ均一化することができるので、樹脂成型時に成形不良が生じることを抑制することができる。
【００７１】
さらに、以上で説明した実施の形態に係るリモートコントローラ１によれば、嵌合部１８は、操作側ケース２１の外周部２ｂに設けられる爪部２８と、取付側ケース２２の外周部２ｂに設けられ爪部２８が係合可能な爪部用係合部２９とを含んで構成される。したがって、リモートコントローラ１は、爪部２８が爪部用係合部２９に係合することで、コントローラケース２の外周部２ｂにおける嵌合部１８の剛性をさらに高めることができ、ビビリ音の発生やハウリングの発生等をさらに確実に抑制することができる。
【００７２】
さらに、以上で説明した実施の形態に係るリモートコントローラ１によれば、取付側ケース２２は、回路基板３と外周部よりも内側の中央部３３で当接してこの回路基板３を回路基板３の厚み方向（ｙ軸方向）に対して位置決めするボス部２４を有し、操作側ケース２１は、スピーカ４が設けられ、回路基板３と外周端部３４で当接してこの回路基板３を厚み方向と交差する方向に対して位置決めするリブ部２５を有する。したがって、リモートコントローラ１は、ボス部２４とリブ部２５とによって回路基板３を位置決めしつつ、スピーカ４が設けられることで相対的に振動しやすい操作側ケース２１と回路基板３との接触部分を極力少なくすることができ、操作側ケース２１からリブ部２５を介して回路基板３に伝達される音声振動を抑制することができる。
【００７３】
なお、上述した実施の形態に係るリモートコントローラは、上述した実施の形態に限定されず、特許請求の範囲に記載された範囲で種々の変更が可能である。
【００７４】
以上の説明では、コントローラケースは、第１分割ケースと第２分割ケースとに２分割されているものとして説明したが、これに限らず、さらに第３分割ケースを備え、すなわち、３分割されていてもよい。また、以上の説明では、コントローラケースは、樹脂成型品により構成されるものとして説明したがこれに限らない。
【００７５】
以上の説明では、リモートコントローラは、防振材を備えるものとして説明したが、必ずしも備えなくてもよい。
【００７６】
以上の説明では、突出部２６、爪部２８が操作側ケース２１に設けられ、陥没部２７、爪部用係合部２９が取付側ケース２２に設けられるものとして説明したが、これに限らず、陥没部２７、爪部用係合部２９が操作側ケース２１に設けられ、突出部２６、爪部２８が取付側ケース２２に設けられてもよい。
【００７７】
以上の説明では、固定手段としてケース固定用ネジ１２は、コントローラケースの中央部に１つのみが設けられているものとして説明したがこれに限らない。
【産業上の利用可能性】
【００７８】
以上のように、本発明に係るリモートコントローラは、適正に部品点数を削減することができるものであり、操作対象装置を遠隔から操作する種々のリモートコントローラに適用して好適である。
【符号の説明】
【００７９】
１    リモートコントローラ
２    コントローラケース
２ａ    中央部
２ｂ    外周部
３    回路基板
４    スピーカ（音源）
５    マイク
９    操作面
１０    取付面
１２    ケース固定用ネジ（固定部材）
１８    嵌合部
１９    防振材
２１    操作側ケース（第１分割ケース）
２２    取付側ケース（第２分割ケース）
２２ａ    壁体
２３    収容空間
２４    ボス部
２５    リブ部
２６    突出部
２７    陥没部
２８    爪部
２９    爪部用係合部
３３    中央部
３４    外周端部（外周部）
【図１】
2010263167.tif 000003
【図２】
2010263167.tif 000004
【図３】
2010263167.tif 000005
【図４】
2010263167.tif 000006
【図５】
2010263167.tif 000007
【図６】
2010263167.tif 000008